(57)【要約】      （修正有）【課題】イベント会場などに移動してその場で携帯電話機を陳列し、直ちに販売することを可能にする。【解決手段】自動車１０の荷台上のスペースに横向きに設置される携帯電話機用の陳列棚３０と、スペース内で陳列棚３０の背部に確保された備品収納空間とを備える。横カバーに、陳列棚３０を見せるための開口を具備させ、その開口を開閉する側部扉２４を開放時に庇２５として利用する。後部カバー２３に備品を出入れすることに用いられる出入口を設ける。備品には、携帯電話機の陳列販売のために必要な通信設備と、携帯電話機の説明や購入説明などに際して使用される事務什器５０と、上記後部カバー２３の後方に人の出入りが可能な屋根付きスペースＳ１を形成するためのテントや支柱などのテント設置用機材６０とが含まれている。【選択図】図１
0003139192.tif 000002
【実用新案登録請求の範囲】
【請求項１】
運転室後部に、荷台と天井と左右の横カバーと後部カバーとによって囲まれたスペースを備える自動車と、この自動車の上記スペースに横向きに設置される携帯電話機用の陳列棚と、上記スペース内で上記陳列棚の背部に確保された備品収納空間とを備えていると共に、上記左右の横カバーのうちの上記陳列棚に面する横カバーに、その陳列棚を上記荷台の側部から見えるように露出させる開口と、開放時にその開口の上縁から自動車の側方へ延び出た庇を形成する開閉可能の側部扉とが設けられ、上記後部カバーに、上記備品収納空間に備品を出入れすることに用いられる出入口と、その出入口を開閉する後部扉が設けられ、上記備品が、携帯電話機の陳列販売のために必要な通信設備と、携帯電話機の説明や購入説明などに際して使用される事務什器と、上記後部カバーの後方に人の出入りが可能な屋根付きスペースを形成するためのテントや支柱などのテント設置用機材とが含まれていることを特徴とする携帯電話機の移動型陳列販売店舗。
【請求項２】
上記陳列棚が、傾斜した背壁と、その背壁に多段に設けられて複数の携帯電話機を横並びに載置することが可能な棚本体と、携帯電話機についてのカタログの収納スペースとを有する請求項１に記載した携帯電話機の移動型陳列販売店舗。
【請求項３】
上記テント設置用機材に、展開されることによって上記天井の後端部からその後方に延び出る屋根を形成する上記テントと、このテントの端部を支える上記支柱とが含まれている請求項１又は請求項２に記載した携帯電話機の移動型陳列販売店舗。
【請求項４】
上記事務什器に、テーブル及び椅子と、上記テーブルの上部を覆うパラソル型テントとが含まれている請求項１ないし請求項３のいずれか１項に記載した携帯電話機の移動型陳列販売店舗。
【請求項５】
上記通信設備は、必要な電力が発電機または家庭用電源によって賄われるようになっている請求項１ないし請求項４のいずれか１項に記載した携帯電話機の移動型陳列販売店舗。
【考案の詳細な説明】
【技術分野】
【０００１】
本考案は、携帯電話機の移動型陳列販売店舗、特に、陳列されている携帯電話機を見た客がその場で直ちに購入契約を済ませるまでのプロセスを、イベント会場などの移動先の狭い場所を使って行うことができるような工夫のなされた携帯電話機の移動型陳列販売店舗に関する。
【背景技術】
【０００２】
従来、自動車の荷台を利用したコンテナ型移動店舗が知られていた（たとえば、特許文献１参照）。この特許文献１によって示されているコンテナ型移動店舗は、移動先で調理品を客に提供することを可能にするために、荷台に調理設備を積み、荷台に取り付けた周壁の一部を、上側に開いて屋根として使用することのできる可動壁として形成してあると共に、荷台にテーブルを設置することができるようにして、そのテーブルに客の注文した調理品を乗せて提供することができるようになっている。また、移動時には可動壁を閉じ、テーブルを荷台に乗せて運搬することができるようになっている。
【特許文献１】特開２００６−２２６１３号公報
【０００３】
一方、近時の携帯電話機の普及は著しく、新しい機能やデザインの新機種を追い求める傾向も見られる。しかしながら、携帯電話機は街中の商店街や量販店などの中に定置されているショップと呼ばれる携帯電話機の定置型店舗で陳列販売されていることが多いことなどにより、携帯電話機を新たに購入したり買い換えたい者にとっては、わざわざそれらのショップを訪れて購入や買換えの契約を行うことが余儀なくされているという不便がある。
【考案の開示】
【考案が解決しようとする課題】
【０００４】
このような状況下では、人の集まりやすい各種のイベント会場や街路などで携帯電話機を随時陳列して販売することができるようにすることは、需要者にとってはわざわざショプを訪れる必要がなくなるという利便性があり、携帯電話会社にとってはショップ以外の場所でも携帯電話機の販売を促進することができるという実益がある。
【０００５】
本考案は以上の状況に鑑みてなされたものであり、イベント会場や街路といった狭い場所であっても、その場所に容易に移動してその場で携帯電話機を陳列し、直ちに販売することができるようにすることを通じて、需要者と携帯電話機会社との両方にとって有益な携帯電話機の移動型陳列販売店舗を提供することを目的とする。
【課題を解決するための手段】
【０００６】
本考案に係る携帯電話機の移動型陳列販売店舗では、運転室後部に、荷台と天井と左右の横カバーと後部カバーとによって囲まれたスペースを備える自動車と、この自動車の上記スペースに横向きに設置される携帯電話機用の陳列棚と、上記スペース内で上記陳列棚の背部に確保された備品収納空間とを備えていると共に、上記左右の横カバーのうちの上記陳列棚に面する横カバーに、その陳列棚を上記荷台の側部から見えるように露出させる開口と、開放時にその開口の上縁から自動車の側方へ延び出た庇を形成する開閉可能の側部扉とが設けられ、上記後部カバーに、上記備品収納空間に備品を出入れすることに用いられる出入口と、その出入口を開閉する後部扉が設けられ、上記備品が、携帯電話機の陳列販売のために必要な通信設備と、携帯電話機の説明や購入説明などに際して使用される事務什器と、上記後部カバーの後方に人の出入りが可能な屋根付きスペースを形成するためのテントや支柱などのテント設置用機材とが含まれている。
【０００７】
この構成を備える携帯電話機の移動型陳列販売店舗は、自動車を移動させることによってイベント会場や街路といった人の集まる場所に容易に移動することができ、その移動先では、陳列棚に携帯電話機を陳列して客に見せることが可能になる。しかも、荷台上の備品収納空間から出した備品のうち、事務什器やテント設置用機材、通信設備を活用して、陳列された携帯電話機を見た客との商談を行うことが可能になる。特に、テント設置用機材は、自動車の後部カバーの後方に人の出入りが可能な屋根付きスペースを形成することに役立つので、狭い場所であってもそこに屋根付きスペースを作ってそこで商談を進めることができるという利点がある。また、事務什器は携帯電話機の説明や購入説明などに際して使用されるほか、必要があれば通信設備を利用して携帯電話機の陳列販売のために必要な情報のやり取りを行うことも可能である。そのほか、屋根付きスペースを形成することができるために、雨が降っていたり日照が強かったりしていてもそこで商談することが可能であり、また、側部扉が庇を形成するものであるために、陳列された携帯電話機を見る客が雨に濡れたり日に当たったりすることを回避することができる。
【０００８】
本考案では、上記陳列棚が、傾斜した背壁と、その背壁に多段に設けられて複数の携帯電話機を横並びに載置することが可能な棚本体と、携帯電話機についてのカタログの収納スペースとを有することが望ましい。この構成を採用しておくと、冒頭で説明したショップと同じような状況で携帯電話機を陳列したりカタログを準備しておいたりすることが可能になる。
【０００９】
本考案では、上記テント設置用機材に、展開されることによって上記天井の後端部からその後方に延び出る屋根を形成する上記テントと、このテントの端部を支える上記支柱とが含まれている。テント設置用機材がこの構成を備えていると、天井の後端部からその後方に延び出る展開したテントを支柱で支えることによって自動車の後方に容易に屋根付きスペースをつくり出すことが可能になるという利点がある。
【００１０】
本考案では、上記事務什器に、テーブル及び椅子と、上記テーブルの上部を覆うパラソル型テントとが含まれていることが望ましい。事務什器のうち、テーブルや椅子は、自動車の停止位置の近くに設置して商談や雑談に使用することが可能であり、パラソル型テントは、そのテーブルの上方に設置して雨や日照を回避させることに用いることが可能である。また、移動先での店舗の設置箇所に華やかな雰囲気を作り出すことにも役立つ。
【００１１】
本考案において、上記通信設備は、必要な電力が発電機または家庭用電源によって賄われるようになっている。これによれば、通信設備に含まれる電話機やパソコン、ディスプレイといった機器を稼働するのに必要な電源を発電機または家庭用電源によって確保することが出来る。
【考案の効果】
【００１２】
以上のように、本考案に係る携帯電話機の移動型陳列販売店舗によれば、イベント会場や街路といった狭い場所であっても、その場所に容易に移動してその場で携帯電話機を陳列し、直ちに販売することができるようになる。その結果、需要者と携帯電話機会社との両方にとって有益な携帯電話機の移動型陳列販売店舗を提供することが可能である。
【考案を実施するための最良の形態】
【００１３】
図１は本考案の実施形態に係る移動型陳列販売店舗を展開した状態を例示した概略斜視図、図２は同店舗の移動時の側面図、図３は側部扉を開いた状態での上記店舗の後面図、図４は上記店舗の移動時の平面図、図５は陳列棚と備品収納空間とのレイアウトを例示した説明図、図６は陳列棚の正面図、図７は陳列棚の断面図である。
【００１４】
図１などによって判るように、この店舗の移動には自動車１０が利用されている。図２〜図４を併せ見ることによって判るように、自動車１０は、運転室１１の後部に、荷台２０と天井２１と左右の横カバー２２，２２と後部カバー２３とによって囲まれたスペースＳを備えている。また、図４のように、このスペースＳには、自動車１０に対して横向きに設置される携帯電話機用の陳列棚３０が設置されいることに加えて、その陳列棚３０の背部に確保された備品収納空間４０と備わっている。図例の店舗では、スペースＳの略半分の広さが陳列棚３０の設置スペースとして利用され、残りの空間が備品収納空間４０にとして利用されている。
【００１５】
図６又は図７のように、陳列棚３０は、傾斜した背壁３１と、その背壁３１に多段に設けられて複数の携帯電話機を横並びに載置することが可能な棚本体３２と、携帯電話機についてのカタログの収納スペース３３とを有していて、この実施形態では、収納スペース３３が陳列棚３０の下部に形成され、棚本体３２が陳列棚３０の左右２箇所に設けられている。そして、図６のように、左右の棚本体３２の相互間にポスターなどの展示場所３４を確保している。さらに、陳列棚３０には、その上部に垂直な立上り板部３５が連設されていて、この立上り板部３５に、液晶ディスプレイ３６やスピーカ３７（図１参照）などの設置場所３８が区画形成されている。そして、液晶ディスプレイ３６には、携帯電話機に係る情報を画像などで表示することができ、スピーカ３７では音声によって携帯電話機に係る情報を客に知らせることができるようになっている。
【００１６】
図１又は図２のように、自動車に設けられている上記横カバー２２は、上記陳列棚３０に面する部分が開口になっていて、その開口の開放時には、陳列棚３０やその陳列棚３０に陳列されている携帯電話機が自動車１０の荷台２０の側部から見えるようになっている。そして、その開口に側部扉２４が取り付けられている。この側部扉２４は、上端が上記開口の上縁にヒンジ結合されていて、上方へはね上げて開口を開いたときには、図１又は図３のように、開口の上縁から自動車の側方へ延び出た庇２５を形成するようになっている。したがって、客Ｍは、雨が降っているときには雨に濡れずに陳列棚３０に陳列されている携帯電話機などを見ることができ、日照の強いときには庇２５によって作られた日陰に入って陳列棚３０に陳列されている携帯電話機などを見ることができるようになる。この実施形態において、側部扉２４は、図３に示した空圧式ダンパー２６の作用によって開放状態が保たれるようになっている。
【００１７】
図１又は図３のように、上記後部カバー２３には、備品収納空間４０に備品を出入れすることに用いられる出入口と、その出入口を開閉する後部扉２７が設けられている。図例の後部扉２７は観音開き型になっているけれども、後部扉２７の構成は他の構成であってもよい。後部扉２７は、上記備品収納空間４０に備品を出し入れするとき以外は閉じられている。
【００１８】
備品には、図１に示されている携帯電話機の説明や購入説明などに際して使用される事務什器５０や、後部カバー２３の後方に人の出入りが可能な屋根付きスペースＳ１を形成するためのテントや支柱などのテント設置用機材６０などのほか、携帯電話機の陳列販売のために必要な通信設備が含まれている。この実施形態では、事務什器５０として、図１に示した必要数のテーブル５１及び椅子５２と、テーブル５１の上部を覆うパラソル型テント５３とが含まれている。また、テント設置用機材６０に、展開されることによって上記天井２１の後端部からその後方に延び出る屋根を形成するテント６１と、このテント６１の端部を支える支柱６２とが含まれている。そして、テーブル５１や椅子５２は、上記屋根付きスペースＳ１の中や自動車の前後などに設置されて、客との商談や雑談に用いられる。
【００１９】
上記通信設備には、電話機やパソコンなどの携帯電話機の陳列販売のために必要な通信設備が含まれていて、その通信設備に必要な電力は、発電機または家庭用電源によって賄われるようになっている。そして、陳列棚３０やその他の適所には、照明や通信設備の電力を確保するのコンセントなどが設けられる。
【００２０】
以上説明した実施形態に係る移動型陳列販売店舗によれば、備品収納スペース４０に通信設備や陳列棚３０、事務什器５０などを収納した状態で自動車１０を走行させることができる。そのため、イベント会場や街路といった狭い場所であっても、自動車の入れる場所であれば、その場所に容易に移動してその場で携帯電話機を陳列し、直ちに販売することができるようになる。
【００２１】
この実施形態では、図５に示した上記スペースＳの半分だけを利用して陳列棚３０を設置し、残りを備品収納スペース４０に利用しているけれども、この点は、陳列棚３０をスペースＳの左右両側に設置し、それらの陳列棚３０の相互間に形成される空間を備品収納スペース４０に利用することも可能である。
【図面の簡単な説明】
【００２２】
【図１】本考案の実施形態に係る移動型陳列販売店舗を展開した状態を例示した概略斜視図である。
【図２】同店舗の移動時の側面図である。
【図３】側部扉を開いた状態での上記店舗の後面図である。
【図４】店舗の移動時の平面図である。
【図５】陳列棚と備品収納空間とのレイアウトを例示した説明図である。
【図６】陳列棚の正面図である。
【図７】陳列棚の断面図である。
【符号の説明】
【００２３】
１０  自動車
１１  運転室
２０  荷台
２１  天井
２２  横カバー
２３  後部カバー
２４  側部扉
２５  庇
２７  後部扉
３０  陳列棚
３１  背壁
３２  棚本体
３３  カタログの収納スペース
４０  備品収納空間
５０  事務什器
５１  テーブル
５２  椅子
５３  パラソル型テント
６０  テント設置用機材
６１  テント
６２  支柱
Ｓ    スペース
Ｓ１  屋根付きスペース
【図１】
0003139192.tif 000003
【図２】
0003139192.tif 000004
【図３】
0003139192.tif 000005
【図４】
0003139192.tif 000006
【図５】
0003139192.tif 000007
【図６】
0003139192.tif 000008
【図７】
0003139192.tif 000009